(57)【特許請求の範囲】
【請求項１】
圧力流体を噴出するインフレータと、該インフレータを包囲し且つ噴出された圧力流体をエアバッグへと供給する供給開口を形成したベース部材と、前記供給開口と一致する開口を形成し且つ前記ベース部材と協同して前記エアバッグの圧力流体導入開口縁部を狭持する正面視略矩形のリテーナとを備え、
前記リテーナの長手方向中央部には切欠部が形成され、この切欠部を除いた前記リテーナの周縁部にはフランジが立ち上げ形成され、
前記切欠部に隣接する前記フランジの両端には、エッジ部が形成された車両用エアバッグ装置であって、
前記エッジ部は、前記リテーナの角部よりもリテーナの中心側である内側に位置していることを特徴とする車両用エアバッグ装置。
【発明の詳細な説明】
【０００１】
【発明の属する技術分野】
本発明は、圧力流体を噴出するインフレータをベース部材によって包囲すると共に、ベース部材と正面視略矩形のリテーナとでエアバッグの圧力流体導入開口縁部を挟持した車両用エアバッグ装置に関する。
【０００２】
【従来の技術】
従来、車両用エアバッグ装置には、図４に示すように、圧力流体を噴出する筒状のインフレータ１と、インフレータ１を包囲するベース部材２と、ベース部材２と協同してエアバッグ３の圧力流体導入開口縁部３ａを挟持する正面視略矩形のリテーナ４とを備えたものがある。
【０００３】
ベース部材２とリテーナ４とにはインフレータ１から噴出された圧力流体を圧力流体導入開口からエアバッグ３内へと供給する開口２ａ，４ａが形成されている。また、リテーナ４の表面側周縁部には、図５に示すように、補強用のフランジ４ｂが立上げられている。
【０００４】
ところで、リテーナ４は、例えば、図６（Ａ）に示すように、１枚の鉄板Ｗから複数の製品を順次作成する場合（トランスファプレス）、先ず、図６（Ｂ）に示すように、ワーク本体Ｗ１と製品本体Ｗ２とを送り桟Ｗ３で連結した状態で所定外形状に板取り（ブランキング）した後、開口４ａ等に相当する部位Ｗ４を打ち抜き（ピアシング）、さらに、所定形状にプレス加工すると同時にフランジ４ｂを立ち上げる。
この後、図６（Ｃ）に示すように、製品本体Ｗ２側に切れ込みＷ５が入るように縁取り（トリミング）することによって送り桟Ｗ３から製品本体Ｗ２を切り離す。
【０００５】
【発明が解決しようとする課題】
ところで、上記の如く構成された車両用エアバッグ装置にあっては、製品本体Ｗ２側に切れ込みＷ５を入れることによって送り桟Ｗ３から製品本体Ｗ２を切り離すことから、フランジ４ｂをプレス加工した際には、連続しないエッジ部４ｃが必然的に形成されてしまう。
【０００６】
このエッジ部４ｃは、インフレータ１から噴出された圧力流体によってエアバッグ３が膨張する際、エアバッグ３の内壁面が当接してこすれてしまうという問題が生じていた。
【０００７】
本発明は、上記事情に鑑みなされたものであって、フランジエッジ部へのエアバッグ内壁面のこすれを防止することができる車両用エアバッグ装置を提供することを目的とする。
【０００８】
【課題を解決するための手段】
その目的を達成するため、請求項１に記載の発明は、圧力流体を噴出するインフレータと、該インフレータを包囲し且つ噴出された圧力流体をエアバッグへと供給する供給開口を形成したベース部材と、前記供給開口と一致する開口を形成し且つ前記ベース部材と協同して前記エアバッグの圧力流体導入開口縁部を狭持する正面視略矩形のリテーナとを備え、前記リテーナの長手方向中央部には切欠部が形成され、この切欠部を除いた前記リテーナの周縁部にはフランジが立ち上げ形成され、前記切欠部に隣接する前記フランジの両端には、エッジ部が形成された車両用エアバッグ装置であって、前記エッジ部は、前記リテーナの角部よりもリテーナの中心側である内側に位置していることを要旨とする。
【０００９】
【発明の実施の形態】
次に、本発明の車両用エアバッグ装置の実施の形態を図１乃至図３に基づいて説明する。
【００１０】
図３において、１１は車体の一部を構成すると共にウエルドナット１２を溶接固定したステアリングメンバ、１３はステアリングメンバ１１にボルト１４で固定されたブラケット、２０はブラケット１３に保持された車両用エアバッグ装置である。
【００１１】
車両用エアバッグ装置２０は、ブラケット１３に固定されると共にエアバッグ２１を収納したベース部材２２と、ベース部材２２に保持されて圧力流体を噴出するボンベ型のインフレータ２３と、ベース部材２２と協同してエアバッグ２１の圧力流体導入開口縁部２１ａを挟持するリテーナ２４と、ベース部材２２のエアバッグ膨張開口２２ａを閉成すると共にエアバッグ２１の押圧により開裂可能な異物侵入防止用のカバー部材２５とを備えている。
【００１２】
ベース部材２２は、断面が多角形的に逆Ω字形状に形成されたベース２６と、ベース２６のフランジ部２６ａ，２６ｂに接合されると共にエアバッグ２１を収納するようにベース２６の周囲を取り巻く枠状のガイド部材２７と、フランジ部２６ａ，２６ｂの裏面側に位置するナット２８とを備えている。
【００１３】
ガイド部材２７は、フランジ部２６ａ側に立ち上がる周壁２９ａを有すると共にフランジ部２６ａ，２６ｂ間に跨る底壁２９ｂを一体に有する第１ガイド部材２９と、フランジ２６ｂ側に立ち上がる周壁３０ａを有する第２ガイド部材３０とを備えている。また、第１ガイド部材２９の底壁２９ｂにはベース２６の長手方向に延在する開口溝２６ｃに対向する供給開口２２ｂが形成されている。
【００１４】
リテーナ２４は、図１，図２に示すように、上述したトランスファプレスによって正面視矩形・側面視Ｗ字形状に打ち抜き・折り曲げ加工されており、供給開口２２ｂに対向する開口２４ａが形成されている。また、リテーナ２４の長手方向に沿う縁部には複数のボルト３１が裏面側に向けて突出されている。さらに、リテーナ２４の長手方向両端中央部には成形のトリミング時による切欠部２４ｂが形成されている。また、切欠部２４ｂを除いたリテーナ２４の周縁部にはフランジ２４ｃ，２４ｃが立ち上げられている。
【００１５】
フランジ２４ｃ，２４ｃは、プレスによる折り曲げ加工時の型抜き方向に沿って立ち上げられている。また、フランジ２４ｃの両端のエッジ部２４ｄは、リテーナ２４の角部よりも切欠部２４ｂに向かう程内側にオフセットされている。
【００１６】
上記の構成において、車両用エアバッグ装置２０は、ブラケット１３にベース部材２２のベース２６をスポット溶接によって固定すると共に、ベース２６にインフレータ２３を保持させ、ガイド部材２７，エアバッグ２１の圧力流体導入開口縁部２１ａ，リテーナ２４をこの順に重ねた状態でリテーナ２４のボルト３１にナット２８を螺合して固定する。
【００１７】
インフレータ２３の作動によって圧力流体が噴出されると、その圧力流体が供給開口２２ｂ並びに開口２４ａを経てエアバッグ２１の内部へと導入される。
【００１８】
エアバッグ２１は、その供給された圧力流体によって膨張を開始し、カバー部材２５並びに図示を略するリッドを壊裂して車室内へと膨張を開始する。
【００１９】
エアバッグ２１の膨張開始時に、開口２４ａからエアバッグ２１内へと向かう圧力流体の流れの一部がリテーナ２４の長手方向に沿って放出されるが、リテーナ２４の長手方向両端部には、リテーナ２４の角部よりも切欠部２４ｂに向かう程内側にオフセットさせた位置にエッジ部２４ｄを有するフランジ２４ｃが立ち上げられている。
【００２０】
従って、放出された圧力流体は、図１の矢印ａに示すように、リテーナ２４の中心側から角部へとフランジ２４ｃに沿って放出され、これにより、エアバッグ２１がエッジ部２４ｄから離反するように膨張し、エアバッグ２１の内壁面がエッジ部２４ｄにこすれてしまうことがない。
【００２１】
【発明の効果】
以上説明したように、本発明の車両用エアバッグ装置にあっては、圧力流体を噴出するインフレータと、該インフレータを包囲し且つ噴出された圧力流体をエアバッグへと供給する供給開口を形成したベース部材と、前記供給開口と一致する開口を形成し且つ前記ベース部材と協同して前記エアバッグの圧力流体導入開口縁部を狭持する正面視略矩形のリテーナとを備え、前記リテーナの長手方向中央部には切欠部が形成され、この切欠部を除いた前記リテーナの周縁部にはフランジが立ち上げ形成され、
前記切欠部に隣接する前記フランジの両端には、エッジ部が形成された車両用エアバッグ装置であって、前記エッジ部は、前記リテーナの角部よりもリテーナの中心側である内側に位置していることにより、フランジエッジ部へのエアバッグ内壁面のこすれを防止することができる。
【図面の簡単な説明】
【図１】本発明の実施の形態に係わる車両用エアバッグ装置を示し、リテーナの正面図である。
【図２】同じく、リテーナの側面図である。
【図３】同じく、車両用エアバッグ装置の縦断面図である。
【図４】従来の車両用エアバッグ装置を示し、車両用エアバッグ装置の縦断面図である。
【図５】同じく、リテーナの正面図である。
【図６】（Ａ）〜（Ｃ）はリテーナの成形過程を時系列に示した説明図である。
【符号の説明】
２０…車両用エアバッグ装置
２１…エアバッグ
２２…ベース部材
２２ａ…エアバッグ膨張開口
２２ｂ…供給開口
２３…インフレータ
２４…リテーナ
２４ａ…開口
２４ｃ…フランジ
【図１】
0004016084.tif 000002
【図２】
0004016084.tif 000003
【図３】
0004016084.tif 000004
【図４】
0004016084.tif 000005
【図５】
0004016084.tif 000006
【図６】
0004016084.tif 000007